(57)【要約】【課題】パソコン等で作成したファクシミリ文書等を印刷しないで、且つ簡単な処理で送信するとともに正常に送信されたかどうかをファクシミリ文書等を作成したパソコン等で確認できるようにする。【解決手段】ＬＡＮ８に接続されたディスクトップパソコン５等で作成したファクシミリ送信文書等の送信ファイルをサーバーであるホストコンピュータ１に保存する。ホストコンピュータ１に保存した送信ファイルをＬＡＮ８に接続されたファクシミリ装置２又はデジタル複合機３で読み出してファクシミリ送信し、正常にファクシミリ送信が完了した送信ファイルを削除させて送信されたか否を明確にする。【選択図】    図５
2004336541.tif 000002
【特許請求の範囲】
【請求項１】
パソコン等の複数の端末装置とサーバーであるホストコンピュータが接続されたローカルエリアネットワーク（ＬＡＮ）に接続されたファクシミリ装置又はファクシミリ機能を有するデジタル複合機である通信装置において、
ファイル読出手段と通信制御部とファイル削除手段とを有し、前記ファイル読出手段は、前記ホストコンピュータに保存されたファクシミリ送信する送信ファイルを読み出し、前記通信制御部は前記ファイル読出手段で読み出した送信ファイルを公衆回線網を介してファクシミリ送信し、前記ファイル削除手段は正常にファクシミリ送信が完了した送信ファイルの削除をホストコンピュータに通知することを特徴とする通信装置。
【請求項２】
パソコン等の複数の端末装置とサーバーであるホストコンピュータと１又は複数のファクシミリ装置又はファクシミリ機能を有するデジタル複合機がローカルエリアネットワーク（ＬＡＮ）に接続されたファクシミリ通信システムにおいて、
前記端末装置は、ファクシミリ文書等を作成すると、作成したファクシミリ文書等を宛先ファクシミリ番号が名称として付けられた送信ファイルとして前記ホストコンピュータにＬＡＮを介して送り、
前記ホストコンピュータは、ファイル管理部とファイル保存部を有し、前記ファイル管理部は前記端末装置から送られた送信ファイルを前記ファイル保存部のあらかじめ設定され管理された所定のディレクトリに保存し、
前記ファクシミリ装置又はファクシミリ機能を有するデジタル複合機は、ファイル読出手段と通信制御部とファイル削除手段とを有し、前記ファイル読出手段は、前記ホストコンピュータの所定のディレクトリに保存されたファクシミリ送信する送信ファイルを読み出し、前記通信制御部は前記ファイル読出手段で読み出した送信ファイルを、送信ファイルの名称の宛先ファクシミリ番号を使用して公衆回線網を介してファクシミリ送信し、前記ファイル削除手段は前記通信制御部で正常にファクシミリ送信が完了した送信ファイルの削除を前記ホストコンピュータに通知し、前記ホストコンピュータのファイル管理部は削除が通知された送信ファイルを前記ファイル保存部から削除することを特徴とするファクシミリ通信システム。
【請求項３】
前記ホストコンピュータのファイル管理部は、前記端末装置から送られた送信ファイルを前記ファイル保存部に保存してからあらかじめ定めた一定時間後に前記ファイル保存部に保存した送信ファイルが削除されていないとき、その送信ファイルを送った端末装置に送信ファイルが未送信であることを通知させる請求項２記載のファクシミリ通信システム。
【請求項４】
前記端末装置は、ファクシミリ文書等を作成すると、作成したファクシミリ文書等の圧縮した送信ファイルを前記ホストコンピュータに送り、前記ホストコンピュータは圧縮した送信ファイルを保存し、前記ファクシミリ装置又はファクシミリ機能を有するデジタル複合機は、圧縮した送信ファイルを展開してファクシミリ送信する請求項２又は３記載のファクシミリ通信システム。
【請求項５】
前記ファクシミリ装置又はファクシミリ機能を有するデジタル複合機は、構内交換機に接続されているとき、前記ホストコンピュータから送られた送信ファイルの名称である宛先ファクシミリ番号に公衆回線をアクセスするための番号を自動的に付加してファクシミリ送信する請求項２乃至４のいずれかに記載のファクシミリ通信システム。
【発明の詳細な説明】
【０００１】
【発明の属する技術分野】
この発明は、ネットワークに接続されたパソコン等で作成したファクシミリ文書等を送信する通信装置及びファクシミリ通信システムに関するものである。
【０００２】
【従来の技術】
【特許文献１】特開平１０−１２６５３９号公報
ファクシミリ装置でファクシミリ送信するとき、送信する原稿をファクシミリ装置にセットして相手先のファクシミリ番号を入力して送信している。この場合、パソコン等で作成した文書等の原稿を印刷してからファクシミリ装置で送信する。このパソコン等で作成した文書等はパソコン等の記録媒体に保存されているため、ファクシミリ送信のために印刷した原稿はファクシミリ送信後に破棄される場合が多く、記録紙が無駄に使用されてしまう。
【０００３】
この問題を解決するため、例えば特許文献１に示すように、ネットワークに複数のパソコンとホストコンピュータを接続し、ホストコンピュータにはファクシミリ装置又はファクシミリ機能を備えたデジタル複合機（以下、ファクシミリ装置という）を接続し、パソコンで作成したファクシミリ文書等を送信ファイルとして送信相手先情報とともにホストコンピュータに送信し、ホストコンピュータは送られた送信ファイルをディレクトリに保存し、送信相手先情報に従って送信相手先を設定し、保存した送信ファイルをファクシミリ装置に送ってファクシミリ送信させて、送信する原稿を印刷しないで済むようにしている。
【０００４】
【発明が解決しようとする課題】
特許文献１に示すファクシミリ送信システムは、パソコンで作成した文書等をホストコンピュータに接続したファクシミリ装置からファクシミリ送信しているため、ホストコンピュータにファクシミリ装置を接続していないシステムでは利用することができず、この場合は、パソコンで作成した文書等をファクシミリ送信する場合、送信する文書等を印刷する必要があった。
【０００５】
また、ホストコンピュータはディレクトリに保存した送信ファイルをファクシミリ装置するときに、パソコンから受信した送信相手先情報により宛先を設定する必要があり、宛先の設定が煩雑であった。
【０００６】
さらに、ホストコンピュータのディレクトリに保存された送信ファイルをファクシミリ送信したとき、そのまま残っていると、ホストコンピュータでファクシミリ送信が正常に完了したかどうかの判断ができないという短所もある。
【０００７】
この発明はかかる短所を改善し、パソコン等で作成したファクシミリ文書等を印刷しないで、且つ簡単な処理で送信することができる通信装置と、正常に送信されたかどうかをファクシミリ文書等を作成したパソコン等で確認することができるファクシミリ通信システムを提供することを目的とするものである。
【０００８】
【課題を解決するための手段】
この発明の通信装置は、パソコン等の複数の端末装置とサーバーであるホストコンピュータが接続されたローカルエリアネットワーク（ＬＡＮ）に接続されたファクシミリ装置又はファクシミリ機能を有するデジタル複合機である通信装置において、ファイル読出手段と通信制御部とファイル削除手段とを有し、前記ファイル読出手段は、前記ホストコンピュータに保存されたファクシミリ送信する送信ファイルを読み出し、前記通信制御部は前記ファイル読出手段で読み出した送信ファイルを公衆回線網を介してファクシミリ送信し、前記ファイル削除手段は正常にファクシミリ送信が完了した送信ファイルの削除をホストコンピュータに通知することを特徴とする。
【０００９】
この発明のファクシミリ通信システムは、パソコン等の複数の端末装置とサーバーであるホストコンピュータと１又は複数のファクシミリ装置又はファクシミリ機能を有するデジタル複合機がローカルエリアネットワーク（ＬＡＮ）に接続されたファクシミリ通信システムにおいて、前記端末装置は、ファクシミリ文書等を作成すると、作成したファクシミリ文書等を宛先ファクシミリ番号が名称として付けられた送信ファイルとして前記ホストコンピュータにＬＡＮを介して送り、前記ホストコンピュータは、ファイル管理部とファイル保存部を有し、前記ファイル管理部は前記端末装置から送られた送信ファイルをファイル保存部のあらかじめ設定され管理された所定のディレクトリに保存し、前記ファクシミリ装置又はファクシミリ機能を有するデジタル複合機は、ファイル読出手段と通信制御部とファイル削除手段とを有し、前記ファイル読出手段は、前記ホストコンピュータの所定のディレクトリに保存されたファクシミリ送信する送信ファイルを読み出し、前記通信制御部は前記ファイル読出手段で読み出した送信ファイルを、送信ファイルの名称の宛先ファクシミリ番号を使用して公衆回線網を介してファクシミリ送信し、前記ファイル削除手段は前記通信制御部で正常にファクシミリ送信が完了した送信ファイルの削除を前記ホストコンピュータに通知し、前記ホストコンピュータのファイル管理部は削除が通知された送信ファイルを前記ファイル保存部から削除することを特徴とする。
【００１０】
前記ホストコンピュータのファイル管理部は、前記端末装置から送られた送信ファイルを前記ファイル保存部に保存してからあらかじめ定めた一定時間後に前記ファイル保存部に保存した送信ファイルが削除されていないとき、その送信ファイルを送った端末装置に送信ファイルが未送信であることを通知させる。
【００１１】
また、前記端末装置は、ファクシミリ文書等を作成すると、作成したファクシミリ文書等の圧縮した送信ファイルを前記ホストコンピュータに送り、前記ホストコンピュータは圧縮した送信ファイルを保存し、前記ファクシミリ装置又はファクシミリ機能を有するデジタル複合機は、圧縮した送信ファイルを展開してファクシミリ送信する。
【００１２】
さらに、前記ファクシミリ装置又はファクシミリ機能を有するデジタル複合機は、構内交換機に接続されているとき、前記ホストコンピュータから送られた送信ファイルの名称である宛先ファクシミリ番号に公衆回線をアクセスするための番号を自動的に付加してファクシミリ送信する。
【００１３】
【発明の実施の形態】
図１はこの発明のファクシミリ通信システムの構成図である。図に示すように、ファクシミリ通信システムは、サーバーであるホストコンピュータ１とファクシミリ装置２とファクシミリ機能を有するデジタル複合機３やノートパソコン４とデスクトップパソコン５とワークステーション６及びプリンタ７等がローカルエリアネットワーク（ＬＡＮ）８に接続されている。ファクシミリ装置２とデジタル複合機３は直接又は構内交換機９を介して公衆回線網１０に接続され、公衆回線網１０に接続された他のファクシミリ装置１１ａ，１１ｂとファクシミリ通信を行う。
【００１４】
ホストコンピュータ１は、図２のブロック図に示すように、操作表示部１２と制御装置１３を有する。制御装置１３はシステム制御部１４とシステムメモリ１５と読出専用メモリ１６とＬＡＮ通信制御部１７とファイル保存部１８とファイル管理部１９と保存時間計数部２０及び通信結果通知部２１を有する。
【００１５】
システム制御部１４はホストコンピュータ１全体の動作を制御する。システムメモリ１５はシステム制御部１４が制御プログラムを実行するとき、必要なデータを記憶したりワークエリアとして利用する。読出専用メモリ１６はあらかじめ制御プログラムや各種制御データを記憶する。ＬＡＮ通信制御部１７はＬＡＮ８との通信を行う。ファイル保存部１８はＬＡＮ８に接続されたデスクトップパソコン５等で作成して送られたファクシミリ文書等の送信ファイルをディレクトリに保存する。ファイル管理部１４はファイル保存部１８に送信ファイルを保存し、保存した送信ファイルを管理するとともに保存された送信ファイルを削除する。保存時間計数部２０は送信ファイルがディレクトリに保存されている時間を計数する。通信結果通知部２１は送信ファイルの送信結果を送信ファイルを作成したデスクトップパソコン５等にＬＡＮ通信制御部１７を介して送信する。
【００１６】
ファクシミリ装置２又はデジタル複合機３は、図３のブロック図に示すように、各種操作を行うとともに装置の動作状態を表示する操作表示部２２と原稿を読み取る読取ユニット２３と受信した文書等を記録用紙に出力する画像形成ユニット２４と制御装置２５を有する。制御装置２５はシステム制御部２６とシステムメモリ２７と読出専用メモリ２８と画像メモリ２９とＧ３通信制御部３０とＬＡＮ通信制御部３１と通信管理部３２と符号化復号化部３３とファイル読出部３４とファイル削除部３５及びエンジン制御部３６を有する。
【００１７】
システム制御部２６はファクシミリ装置２又はデジタル複合機３の動作を制御する。システムメモリ２６はシステム制御部２６が制御プログラムを実行するとき、必要なデータを記憶したりワークエリアとして利用する。読出専用メモリ２８はあらかじめ制御プログラムや各種制御データを記憶する。画像メモリ３９は送信する画像や受信した画像を記憶する。Ｇ３通信制御部３０は公衆回線網１０を介してファクシミリ通信を行う。ＬＡＮ通信制御部３１はＬＡＮ８との通信を行う。通信管理部３２はファクシミリ通信をしたときの通信管理レポート等を作成するための情報を管理する。符号化復号化部３３は画像データを圧縮したり、圧縮された画像データを伸長する。ファイル読出部３４はホストコンピュータ１のファイル保存部１８に保存された送信ファイルを読み出す。ファイル削除部３５はファイル保存部１８で読み出した送信ファイルのファクシミリ送信が完了したとき、その送信ファイルの削除をホストコンピュータ１に通知する。エンジン制御部３６は画像形成ユニット２４の動作を制御する。
【００１８】
このファクシミリ通信システムで、ノートパソコン４やデスクトップパソコン５又はワークステーション６でファクシミリ送信する文書等を作成したときの処理を図４のフローチャートを参照して説明する。例えばデスクトップパソコン５でファクシミリ文書等を作成すると（ステップＳ１）、作成したファクシミリ文書等を宛先ファクシミリ番号が名称として付けられた送信ファイルとしてホストコンピュータ１にＬＡＮ８を介して送る（ステップＳ２）。ホストコンピュータ１のファイル管理部１９は送られた送信ファイルをファイル保存部１８のあらかじめ設定され管理された所定のディレクトリに保存する（ステップＳ３）。
【００１９】
このホストコンピュータ１に保存された送信ファイルのファクシミリ文書等を例えばデジタル複合機３でファクシミリ送信するときは、図５のフローチャートに示すように、デジタル複合機３のファイル読出部３４はＬＡＮ通信制御部３１を介してあらかじめ定めた所定の時間にホストコンピュータ１に送信ファイルがあるかどうかを問い合わせる。ホストコンピュータ１のファイル管理部１９はデジタル複合機３から送信ファイルの有無の問い合わせがあり、ファイル保存部１８の所定のディレクトリに送信ファイルがある場合は、その旨をデジタル複合機３に知らせる（ステップＳ１１）。デジタル複合機３のファイル読出部３４は送信ファイルがあることを知らされるとホストコンピュータ１の送信ファイルの読み出しを依頼する。ホストコンピュータ１のファイル管理部１９は送信ファイルの読み出しが依頼されると、ファイル保存部１８に保存した古い送信ファイルから順次読み出してデジタル複合機３に送る。デジタル複合機３のファイル読出部３４は送られた送信ファイルのファクシミリ文書等の画像データを画像メモリ２９に格納する（ステップＳ１２）。その後、Ｇ３通信制御部３０は公衆回線網１０を介して送られた送信ファイルの名称である宛先ファクシミリ番号に発呼し（ステップＳ１３）、画像メモリ２９に格納された画像データを例えば相手先ファクシミリ装置１１ａに送信する（ステップＳ１４）。相手先ファクシミリ装置１１ａに対する送信が完了すると、ファイル削除部３５は送信が完了した送信ファイルの削除をホストコンピュータ１に通知する。ホストコンピュータ１のファイル管理部１９は送信ファイルの削除が通知されると、その送信ファイルをファイル保存部１８の所定のディレクトリから削除する（ステップＳ１５）。この処理をホストコンピュータ１のファイル保存部１８に保存した送信ファイルがなくなるまで繰り返す（ステップＳ１６）。
【００２０】
このようにしてノートパソコン４やデスクトップパソコン５又はワークステーション６で作成したファクシミリ文書等を印刷しないでファクシミリ送信することができ、記録用紙の消費を削減することができる。また、デスクトップパソコン５等に個別にモデムを接続する必要もなく、複雑な設定やアプリケーションソフトを動作させるまでの設定等を不要とし、デスクトップパソコン５等の操作等を容易にすることができる。さらに、送信ファイルの名称として宛先ファクシミリ電話番号を使用することにより、相手先情報を設定する必要がなく、ワークステーション６で作成したファクシミリ文書等をファクシミリ送信するときの処理を簡略化することができる。
【００２１】
前記説明ではデジタル複合機３で読込んだ送信ファイルを宛先ファクシミリ装置１１に正常に送信した場合について説明したが、宛先ファクシミリ装置１１が通信中であったりしてファクシミリ送信が正常に完了しなかった場合の処置について、図６のフローチャートと図７のフローチャートを参照して説明する。
【００２２】
図６のフローチャートに示すように、例えばデジタル複合機３でホストコンピュータ１に保存された送信ファイルを読込み、送信ファイルの名称である送信相手先番号の発呼してファクシミリ文書等を送信したとき（ステップＳ２１〜Ｓ２３）、ファクシミリ送信が正常に完了した場合は、前記説明のようにホストコンピュータ１に保存された送信済みの送信ファイルを削除する（ステップＳ２４，Ｓ２５）。また、宛先ファクシミリ装置１１が通信中であったりしてファクシミリ送信が正常に完了しなかった場合は、所定の再発呼設定回数に達するまで再発呼を繰り返す（ステップＳ２６，Ｓ２２〜Ｓ２４）。この再発呼を繰返してファクシミリ送信が正常に完了した場合は、ホストコンピュータ１に保存された送信済みの送信ファイルを削除する（ステップＳ２４，Ｓ２５）。また、所定の再発呼設定回数に達するまで再発呼を繰り返してもファクシミリ送信が正常に完了しなかった場合は、ファクシミリ送信処理を終了する（ステップＳ２７）。
【００２３】
一方、ホストコンピュータ１のファイル管理部１９は、図７のフローチャートに示すように、例えばデスクトップパソコン５から送信ファイルが送られファイル保存部１８に保存すると（ステップＳ３１）、保存時間計数部２０に送信ファイルを保存したときからの時間を計数させる。この保存時間計数部２０で計数している送信ファイルの保存時間があらかじめ定めた一定時間に達すると（ステップＳ３２）、ファイル管理部１９はファイル保存部１８に保存時間が経過しても削除されていない送信ファイルがあるかどうかを確認する（ステップＳ３３）。この確認の結果、保存時間が経過しても削除されていない送信ファイルがある場合は、その送信ファイルは宛先ファクシミリ装置１１に送信されなかったと判断し、その旨を通信結果通知部２１に知らせる。通信結果通知部２１は例えばデスクトップパソコン５の送信ファイルの名称と未送信であることを通知する（ステップＳ３４）。
【００２４】
このように送信ファイルで特定した宛先ファクシミリ装置１１にファクシミリ送信したとき、再発呼を繰り返して一定時間経過してもファクシミリ送信が正常に完了しない場合、送信ファイルを送ったデスクトップパソコン５等にその旨を通知するから、デスクトップパソコン５等の使用者はファクシミリ送信の結果を正確に確認することができる。
【００２５】
前記説明では例えばデスクトップパソコン５で作成したファクシミリ文書等をそのまま送信ファイルとしてホストコンピュータ１に送る場合について説明したが、デスクトップパソコン５等で作成したファクシミリ文書等を任意の圧縮方式例えばｔｉｆやｐｄｆ又はｚｉｐ等で圧縮してホストコンピュータ１に送っても良い。この圧縮してホストコンピュータ１に保存された送信ファイルを構内交換機９に接続されたファクシミリ装置２で読み出してファクシミリ送信するときの処理を図８のフローチャートを参照して説明する。
【００２６】
ファクシミリ装置２のファイル読出部３４はＬＡＮ通信制御部３１を介してあらかじめ定めた所定の時間にホストコンピュータ１に送信ファイルがあるかどうかを問い合わせる（ステップＳ４１）。ホストコンピュータ１のファイル管理部１９はデジタル複合機３から送信ファイルの有無の問い合わせがあり、ファイル保存部１８の所定のディレクトリに送信ファイルがあり、ファクシミリ装置２から送信ファイルの読み出しが依頼されると、ファイル保存部１８に保存した古い送信ファイルから順次読み出してファクシミリ装置２に送る（ステップＳ４２）。ファクシミリ装置２のファイル読出部３４は送られた送信ファイルが圧縮ファイルであると、圧縮ファイル展開アプリケーションを起動して圧縮ファイルを展開し、展開した画像データを画像メモリ２９に格納する（ステップＳ４３）。そしてＧ３通信制御部３０は送られた送信ファイルの名称である宛先ファクシミリ番号に公衆回線１０をアクセスするための番号を自動的に付加して構内交換機９に送る（ステップＳ４４，Ｓ４５）。構内交換機９は公衆回線１０を介して送られた送信ファイルの名称である宛先ファクシミリ番号に発呼し、ファクシミリ装置２は画像メモリ２９に格納された画像データを相手先ファクシミリ装置１１ａに送信する（ステップＳ４６）。相手先ファクシミリ装置１１ａに対する送信が完了すると、ファイル削除部３５は送信が完了した送信ファイルの削除をホストコンピュータ１に通知する。ホストコンピュータ１のファイル管理部１９は送信ファイルの削除が通知されると、その送信ファイルをファイル保存部１８の所定のディレクトリから削除する（ステップＳ４７）。この処理をホストコンピュータ１のファイル保存部１８に保存した送信ファイルがなくなるまで繰り返す（ステップＳ４８）。
【００２７】
このようにデスクトップパソコン５等で作成したファクシミリ文書等を任意の圧縮方式で圧縮してホストコンピュータ１に送ることができ、ホストコンピュータ１のメモリを有効に利用することができる。また、構内交換機９に接続されたファクシミリ装置２でホストコンピュータ１に保存した送信ファイルをファクシミリ送信するとき、送信ファイルの名称である宛先ファクシミリ番号に公衆回線１０をアクセスするための番号を自動的に付加することにより、自動的にファクシミリ送信を行うことができる。また、ＬＡＮ８に接続されたファクシミリ装置２とデジタル複合機３のいずれでもホストコンピュータ１に保存した送信ファイルを読み出してファクシミリ送信することにより、いずれか一方が使用中であってもファクシミリ送信が遅延することを最小限に抑えることができる。
【００２８】
また、前記説明ではファクシミリ装置２とデジタル複合機３からホストコンピュータ１に送信ファイルの読み出しを依頼した場合について説明したが、ホストコンピュータ１で送信ファイルが保存された時に、ファクシミリ装置２やデジタル複合機３にファクシミリ通信依頼を通知しても良い。
【００２９】
【発明の効果】
この発明は以上説明したように、ＬＡＮに接続された各端末装置で作成したファクシミリ送信文書等の送信ファイルをサーバーであるホストコンピュータに保存し、保存した送信ファイルをＬＡＮに接続されたファクシミリ装置又はファクシミリ機能を有するデジタル複合機で読み出してファクシミリ送信するようにしたから、各端末装置で作成したファクシミリ文書等を印刷しないでファクシミリ送信することができ、記録用紙の消費を削減することができる。
【００３０】
また、各端末装置に個別にモデムを接続する必要もなく、複雑な設定やアプリケーションソフトを動作させるまでの設定等を不要とし、各端末装置の操作等を容易にすることができる。
【００３１】
さらに、送信ファイルの名称として宛先ファクシミリ電話番号を使用することにより、相手先情報を設定する必要がなく、各端末装置で作成したファクシミリ文書等をファクシミリ送信するときの処理を簡略化することができる。
【００３２】
また、送信ファイルで特定した宛先にファクシミリ送信したとき、再発呼を繰り返して一定時間経過してもファクシミリ送信が正常に完了しない場合、送信ファイルを送った端末装置にその旨を通知することにより、各端末装置の使用者はファクシミリ送信の結果を正確に確認することができる。
【００３３】
さらに、各端末装置で作成したファクシミリ文書等を任意の圧縮方式で圧縮してホストコンピュータに送り保存することにより、ホストコンピュータのメモリを有効に利用することができる。
【００３４】
また、構内交換機に接続されたファクシミリ装置又はファクシミリ機能を有するデジタル複合機でホストコンピュータに保存した送信ファイルをファクシミリ送信するとき、送信ファイルの名称である宛先ファクシミリ番号に公衆回線をアクセスするための番号を自動的に付加することにより、自動的にファクシミリ送信を行うことができる。
【００３５】
また、ＬＡＮに接続されたファクシミリ装置とファクシミリ機能を有するデジタル複合機のいずれでもホストコンピュータに保存した送信ファイルを読み出してファクシミリ送信することにより、いずれか一方が使用中であってもファクシミリ送信が遅延することを最小限に抑えることができる。
【図面の簡単な説明】
【図１】この発明のファクシミリ通信システムの構成図である。
【図２】ホストコンピュータの構成を示すブロック図である。
【図３】ファクシミリ装置とファクシミリ機能を有するデジタル複合機に構成を示すブロック図である。
【図４】デスクトップパソコン等でファクシミリ文書等を作成したときの処理を示すフローチャートである。
【図５】ファクシミリ送信処理を示すフローチャートである。
【図６】ファクシミリ送信が完了しないときの処理を示すフローチャートである。
【図７】ファクシミリ送信が完了しないときのホストコンピュータの処理を示すフローチャートである。
【図８】圧縮された送信ファイルをファクシミリ送信するときの処理を示すフローチャートである。
【符号の説明】
１；ホストコンピュータ、２；ファクシミリ装置、３；デジタル複合機、
４；ノートパソコン、５；デスクトップパソコン、
６；ワークステーション、７；プリンタ、８；ＬＡＮ、９；構内交換機、
１０；公衆回線網、１１；ファクシミリ装置、１２；操作表示部、
１３；制御装置、１４；システム制御部、１５；システムメモリ、
１６；読出専用メモリ、１７；ＬＡＮ通信制御部、１８；ファイル保存部、
１９；ファイル管理部、２０；保存時間計数部、２１；通信結果通知部、
２２；操作表示部、２３；読取ユニット、２４；画像形成ユニット、
２５；制御装置、２６；システム制御部、２７；システムメモリ、
２８；読出専用メモリ、２９；画像メモリ、３０；Ｇ３通信制御部、
３１；ＬＡＮ通信制御部、３２；通信管理部、３３；符号化復号化部、
３４；ファイル読出部、３５；ファイル削除部、３６；エンジン制御部。
【図１】
2004336541.tif 000003
【図２】
2004336541.tif 000004
【図３】
2004336541.tif 000005
【図４】
2004336541.tif 000006
【図５】
2004336541.tif 000007
【図６】
2004336541.tif 000008
【図７】
2004336541.tif 000009
【図８】
2004336541.tif 000010